(57)【要約】【課題】２つの空間の境界部において、通路等の位置を決める自由度や意匠性を向上させることのできる可動収納仕切装置を提供する。【解決手段】可動収納仕切装置１０は、境界部１２における床面に設けられるレールと、レール上に摺動自在に設けられる可動棚１８と、可動棚１８の出し入れ口Ａを開閉するとともに境界部１２を開閉する引戸２０とを備える。したがって、境界部１２に対して可動収納仕切装置１０を取り付けた状態では、可動棚１８を移動させることによって通路等の位置を任意に決めることができ、その通路等を引戸２０によって開閉することができる。また、通路等を開いた際には、引戸２０によって可動棚１８の出し入れ口Ａを覆い隠すことができる。【選択図】      図５
2005009225.tif 000002
【特許請求の範囲】
【請求項１】
建物内において２つの空間の境界部に設けられる可動収納仕切装置であって、
前記境界部における床面に設けられるレール、
収納物を出し入れするための出し入れ口を前側面に有し、前記レール上に摺動自在に設けられる可動棚、および
前記境界部に前記レールの延びる方向へ移動自在に設けられ、前記可動棚の前記出し入れ口を開閉するとともに前記境界部を開閉する引戸を備える、可動収納仕切装置。
【発明の詳細な説明】
【０００１】
【発明の属する技術分野】
この発明は、建物内において２つの空間の境界部（たとえばクローク収納の開口部や部屋と部屋との境界部等）に設けられる、可動収納仕切装置に関する。
【０００２】
【従来の技術】
従来の可動収納仕切装置の一例が、特開平４‐３１５３２号公報に開示されている。この従来技術では、建物内において２つの空間の境界部に家具体を設け、家具体に支持された鴨居によって複数の吊戸を移動自在に吊り下げ、吊戸によって境界部を開閉するようにしていた。そして、境界部を開いた際には、各吊戸を家具体の背面側に収納するようにしていた。
【０００３】
【特許文献１】
特開平４‐３１５３２号公報
【０００４】
【発明が解決しようとする課題】
上述の従来技術では、家具体によって鴨居を支持するようにしていたので、家具体を設置した後は、これを自在に移動させることができず、通路等の位置を自由に決めることができなかった。また、家具体の背面側に複数の吊戸を収納するようにしていたので、家具体の前面に設けられた出し入れ口を吊戸によって覆い隠すことができず、出し入れ口が露出することによって意匠性が損なわれていた。
【０００５】
それゆえに、この発明の主たる目的は、通路等の位置を決める自由度や意匠性を向上させることのできる、可動収納仕切装置を提供することである。
【０００６】
【課題を解決するための手段】
請求項１に記載した発明は、「建物内において２つの空間の境界部１２に設けられる可動収納仕切装置１０であって、境界部１２における床面に設けられるレール１６、収納物を出し入れするための出し入れ口Ａを前側面に有し、レール１６上に摺動自在に設けられる可動棚１８、および境界部１２にレール１６の延びる方向へ移動自在に設けられ、可動棚１８の出し入れ口Ａを開閉するとともに境界部１２を開閉する引戸２０を備える、可動収納仕切装置１０」である。
【０００７】
この発明では、可動棚１８がレール１６上に摺動自在に設けられるので、可動棚１８を移動させることによって開口部（通路等）の位置を任意に決めることができる。また、境界部１２を開いた際には、引戸２０によって可動棚１８の出し入れ口Ａを覆い隠すことができるので、意匠性を高めることができる。
【０００８】
【発明の実施の形態】
図１および図２を参照して、本発明が適用された可動収納仕切装置１０は、図５に示すように、建物内において２つの空間を開閉自在に仕切るためにこれらの空間の境界部１２に設けられるものである。建物内の空間としては、部屋，廊下，台所，脱衣場，書斎，納戸，押入およびクローク等が存在するが、以下には、部屋とクローク１３との境界部１２に可動収納仕切装置１０を設けた場合を例に挙げて説明する。
【０００９】
可動収納仕切装置１０（図１，図２）は、境界部１２の内周部に取り付けられる枠体１４，境界部１２における床面に設けられるレール１６，レール１６上に摺動自在に設けられる可動棚１８および境界部１２においてレール１６の延びる方向へ移動自在に設けられる引戸２０を備える。
【００１０】
枠体１４は、図１に示すように、境界部１２の互いに対向する側面に取り付けられる２本の縦枠１４ａと、境界部１２の上面に取り付けられる横枠１４ｂとによって構成され、横枠１４ｂには、図３に示すように、可動棚１８を案内するガイド溝２２と引戸２０を吊り下げて案内するガイドレール２４とが長手方向へ延びて互いに並行に形成される。
【００１１】
レール１６は、図１および図３に示すように、横枠１４ｂと対向する位置に設けられた長尺板状のレール本体１６ａを備え、レール本体１６ａの上面にはレール溝１６ｂが長手方向へ延びて形成される。
【００１２】
可動棚１８は、図１および図２に示すように、境界部１２の略半分を閉鎖するとともに、収納物を収納するものであり、境界部１２の高さとほぼ同じ高さを有する略四角形の棚枠２６と、棚枠２６の背面に取り付けられた背板２８と、棚枠２６の内部空間を仕切る複数の仕切板３０とを備える。そして、棚枠２６の下面には、図３に示すように、レール１６のレール溝１６ｂに転動自在に嵌め込まれるコマ３２が取り付けられ、棚枠２６の上面には、枠体１４のガイド溝２２に摺動自在に嵌め込まれる突起３４が設けられる。なお、仕切板３０は、固定式または可動式のいずれであってもよい。また、収納物によっては可動棚１８をかざり棚として用いてもよい。
【００１３】
引戸２０は、図１および図２に示すように、境界部１２の略半分を開閉するとともに、可動棚１８の前側面に設けられた出し入れ口Ａを開閉するものであり、図３に示すように、略四角形の板状の引戸本体３６と、引戸本体３６の表裏両面に貼り付けられた装飾パネル３８とを備える。そして、引戸本体３６の上端面には、枠体１４のガイドレール２４に転動自在に係止されるコマ４０が設けられ、引戸本体３６の下端面には、ガイド溝４２が形成され、このガイド溝４２に対して境界部１２の床面に設けられた突起部材４４が摺動自在に嵌め込まれる。さらに、引戸本体３６および装飾パネル３８の幅方向両端部には、図４に示すように、表裏両面に略凹状の手掛かり部４６ａを有する端面カバー４６が高さ方向の全長にわたって取り付けられ、装飾パネル３８の表面には、図１に示すように、装飾用の線材４８が取り付けられる。端面カバー４６の手掛かり部４６ａは、部屋側およびクローク１３側のどちらからでも引戸２０を開閉操作できるように、表裏両面に形成することが望ましいが、部屋側からのみ引戸２０を開閉操作できるように、表面にのみ形成するようにしてもよい。
【００１４】
なお、枠体１４，レール１６，可動棚１８および引戸２０の材料としては、木材，金属（アルミニウム等）または合成樹脂等の任意の材料を用いることができるが、加工や取扱が容易である点において「木材」を用いることが望ましい。そして、そのような「木材」としては、挽材，合板，木質繊維板（ＩＢ，ＭＤＦ等），木削片板（パーティクルボード，ストランドボード，ＯＳＢ等），集成材，単板積層材またはこれらの複合材等を例示することができる。
【００１５】
また、引戸本体３６の表面または裏面には、装飾パネル３８に代えて、化粧紙，化粧樹脂含浸紙または化粧合成樹脂シート等のような化粧材を貼り付けるようにしてもよいし、着色塗装，透明塗装または柄模様印刷等を施すようにしてもよい。さらに、化粧材の上から塗装や印刷を施すようにしてもよい。
【００１６】
枠体１４に対して可動棚１８および引戸２０を取り付けた状態では、引戸２０が可動棚１８の前面側（すなわち出し入れ口Ａが設けられた側）に配置される。したがって、図６または図７に示すように、引戸２０または可動棚１８を摺動させることによって境界部１２を開いた際には、開かれた部分に開口部５０が確保されるとともに、引戸２０によって可動棚１８の出し入れ口Ａが覆われる。
【００１７】
この実施例によれば、可動棚１８および引戸２０の双方を移動させることができるので、境界部１２における開口部５０の位置を自由に定めることができる。また、可動棚１８の出し入れ口Ａを引戸２０によって覆うことができるので、引戸２０の表面に装飾パネル３８を貼り付けていることと相俟って、意匠性を高めることができる。そして、端面カバー４６を引戸本体３６の高さ方向の全長にわたって取り付けるようにしているので、端面カバー４６の把手としての印象を弱めることができ、意匠性をより高めることができる。
【００１８】
また、引戸２０は、折れ戸や開き戸のように扉の前後に開閉スペースを設ける必要がないので、部屋およびクローク１３のそれぞれの空間を広く使用することができる。
【００１９】
さらに、収納物を大きさや用途に応じてクローク１３と可動棚１８とに分けて収納することができるので、効率のよい収納および取り出しを可能にすることができる。
【００２０】
なお、上述の実施例では、枠体１４に対して可動棚１８および引戸２０を１つずつ設けた場合を示したが、これらの数は適宜変更可能であり、たとえば、図８および図９に示すように、枠体１４に対して１つの可動棚１８と２つの引戸２０とを設けるようにしてもよいし、図１１に示すように、２つの可動棚１８と２つの引戸２０とを設けるようにしてもよい。図８および図９に示した実施例においては、図１０（Ａ）〜（Ｃ）に示すように、右側（Ａ）、左側（Ｂ）または中央（Ｃ）のいずれかに開口部５０を確保することができる。
【００２１】
また、上述の実施例では、部屋とクローク１３との境界部１２に可動収納仕切装置１０を設けた場合を示したが、たとえば図１２に示すように、寝室５２と書斎５４との境界部１２に可動収納仕切装置１０を設けるようにしてもよい。つまり、この発明は、建物内における２つの空間（部屋，廊下，台所，脱衣場，書斎，納戸，押入またはクローク等）のあらゆる境界部に適用可能である。
【００２２】
【発明の効果】
この発明によれば、可動棚および引戸の双方を移動させることができるので、境界部における開口部の位置を任意に定めることができる。また、可動棚の出し入れ口を引戸によって覆うことができるので、意匠性を高めることができる。
【図面の簡単な説明】
【図１】可動収納仕切装置を示す正面図である。
【図２】図１におけるＩＩ‐ＩＩ断面図である。
【図３】図１におけるＩＩＩ‐ＩＩＩ断面図である。
【図４】端面カバーを示す断面図である。
【図５】可動収納仕切装置の使用状態を示す斜視図である。
【図６】境界部を開いた状態を示す断面図である。
【図７】境界部を開いた状態を示す斜視図である。
【図８】他の実施例の可動収納仕切装置を示す正面図である。
【図９】図８におけるＩＸ−ＩＸ断面図である。
【図１０】図８，図９実施例において境界部を開いた状態を示す断面図である。
【図１１】他の実施例の可動収納仕切装置を示す断面図である。
【図１２】可動収納仕切装置の他の使用状態を示す図である。
【符号の説明】
１０…  可動収納仕切装置
１２…  境界部
１４…  枠体
１６…  レール
１８…  可動棚
２０…  引戸
２２…  ガイド溝
２４…  ガイドレール
４０…  コマ
４６…  端面カバー
【図１】
2005009225.tif 000003
【図２】
2005009225.tif 000004
【図３】
2005009225.tif 000005
【図４】
2005009225.tif 000006
【図５】
2005009225.tif 000007
【図６】
2005009225.tif 000008
【図７】
2005009225.tif 000009
【図８】
2005009225.tif 000010
【図９】
2005009225.tif 000011
【図１０】
2005009225.tif 000012
【図１１】
2005009225.tif 000013
【図１２】
2005009225.tif 000014